(57)【特許請求の範囲】
【請求項１】
正面に発光窓が設置されているライトケース、ライトケース内に装着される若干のＬＥＤ光源、ライトケースに設置される電源コネクタと電源スイッチ、ライトケースの外に設置される接続ブラケットを備えている、直接照明タイプ・ソフトライトタイプ変換可能な写真撮影又はビデオ撮影用のＬＥＤ照明灯であって、
前記発光窓の内側の正面のライトケースに若干の正面ＬＥＤ光源が設置されており、正面ＬＥＤ光源の照射方向はＬＥＤ照明灯の前方に向け、
前記発光窓の内側の周囲側面のライトケースに若干の側面ＬＥＤ光源が設置され、
前記発光窓の内側において、前記正面ＬＥＤ光源の前方のライトケースに前記発光窓を覆い被せる一枚の透明導光板が設置され、
前記側面ＬＥＤ光源の照射方向はそれぞれ前記透明導光板の周囲側面に向け、前記透明導光板の、正面ＬＥＤ光源に向かい合う側の表面に、前記側面ＬＥＤ光源から入射する光線を反射させて発光窓の正面から射出するようにさせるための窪みが均一且つ密に分布されており、
ライトケースには照明方式変換スイッチがさらに設置されていることを特徴とする、直接照明タイプ・ソフトライトタイプ変換可能な撮影用ＬＥＤ照明灯。
【請求項２】
前記電源コネクタは、乾電池ホルダー又は外付けの電源コンセントであることを特徴とする、請求項１に記載の直接照明タイプ・ソフトライトタイプ変換可能な撮影用ＬＥＤ照明灯。
【請求項３】
前記接続ブラケットは撮影デバイスと接続するホット・シュー式の接続ブラケット、床置き式三脚と接続する接続ブラケット又は卓上式三脚と接続する接続ブラケットであることを特徴とする、請求項１又は請求項２に記載の直接照明タイプ・ソフトライトタイプ変換可能な撮影用ＬＥＤ照明灯。
【請求項４】
前記ライトケース内に回路基板が装着されており、前記正面ＬＥＤ光源と側面ＬＥＤ光源は、いずれも、前記電源コネクタ、電源スイッチ、照明方式変換スイッチ、回路基板との間に、対応する電気的な接続を行うことを特徴とする、請求項１又は請求項２に記載の直接照明タイプ・ソフトライトタイプ変換可能な撮影用ＬＥＤ照明灯。
【請求項５】
前記発光窓はライトケース上の一つの脱着式の窓枠に設置されていることを特徴とする、請求項１又は請求項２に記載の直接照明タイプ・ソフトライトタイプ変換可能な撮影用ＬＥＤ照明灯。
【請求項６】
前記ライトケースに照明明るさ調節器と照明色温度調節器が設置されており、前記正面ＬＥＤ光源と側面ＬＥＤ光源は、いずれも、前記電源コネクタ、電源スイッチ、照明方式の変換スイッチ、照明明るさ調節器、照明色温度調節器、回路基板との間に、対応する電気的な接続を行うことを特徴とする、請求項１又は請求項２に記載の直接照明タイプ・ソフトライトタイプ変換可能な撮影用ＬＥＤ照明灯。
【発明の詳細な説明】
【技術分野】
【０００１】
本発明は、写真撮影又はビデオ撮影用照明装置分野に関し、特に、直接照明タイプ・ソフトライトタイプ変換可能な撮影用ＬＥＤ照明灯に関するものである。
【背景技術】
【０００２】
現在、一般的に使用されている撮影用ＬＥＤ照明灯は、構造によって直接照明タイプとソフトライトタイプの二種類に分れられる。直接照明タイプの撮影用ＬＥＤ照明灯は、本出願人が出願した中国実用新案第２０１１２０５０２００７.５号の「組立可能な撮影用ＬＥＤ型照明灯(一種可併接的摂像用LED型照明灯)」のように、若干のＬＥＤ光源が前向けに直接照明するようにライトケースの発光窓内の回路基板に設置されている。
【０００３】
このようなＬＥＤ型照明灯は、光線の照射距離が比較的に遠くなるが、光線は比較的にまばゆいものである。ライトケースの発光窓にソフトボックスを増設することにより光線のまばゆい程度を減らすことができる。
【０００４】
ソフトライトタイプの撮影用ＬＥＤ照明灯は、本出願人が出願した中国実用新案第２０１３２００１７２７４.２号の「撮影又は撮像用のＬＥＤ照明灯(一種摂影或摂像用的LED照明灯)」のように、ライトケースの発光窓の内側に、正面で発光窓を覆い被せる一枚のプラスチック製導光板が設置されており、若干のＬＥＤ光源が、プラスチック製導光板の側面に向けて直接照明するように、プラスチック製導光板の側面の外側周囲に配列されている。
【０００５】
このようなＬＥＤ型照明灯は、光線が柔らかで、まばゆくなく、けれど照射距離が比較的近く、光線の照射距離が直接照明タイプの撮影用ＬＥＤ型照明灯より短いものである。
【０００６】
上記された二種類の撮影用ＬＥＤ型照明灯は、それぞれ長所がある。照射距離が比較的遠い撮影の場合には、しばしば直接照明タイプの撮影用ＬＥＤ照明灯を使用すればこそ、理想的な照明効果を達成できる。
【０００７】
照射距離が比較的近い撮影の場合には、しばしばソフトライトタイプ撮影用ＬＥＤ照明灯を使用すればこそ、理想的な照明効果を達成できる。もし撮影者が外出して写真撮影又はビデオ撮影をする時、直接照明タイプの撮影用ＬＥＤ照明灯も、ソフトライトタイプ撮影用ＬＥＤ照明灯も携帯しなければならないと、とても煩わしいことである。しかしながら、目下は、比較的遠い距離の撮影にも、比較的近い距離の撮影にも、適合する照明用ＬＥＤ照明灯は一種類もないのである。
【発明の概要】
【０００８】
従来、撮影者が外出して写真撮影又はビデオ撮影をする時、直接照明タイプ撮影用ＬＥＤ照明灯も、ソフトライトタイプ撮影用ＬＥＤ照明灯も携帯しなければならないことによる使用上の煩わしさ、又は、目下、比較的遠い距離の撮影にも、比較的近い距離の撮影にも、適合する照明用ＬＥＤ照明灯が一種類もない欠陥を解消するため、本発明は、改良した直接照明タイプ・ソフトライトタイプ変換可能な撮影用ＬＥＤ照明灯を提供して、従来技術における欠陥を解消することを目的とする。
【０００９】
上記された技術課題を解決するために、本発明は、正面に発光窓が設置されているライトケース、ライトケース内に装着される若干のＬＥＤ光源、ライトケースに設置される電源コネクタと電源スイッチ、ライトケースの外に設置される接続ブラケットを備えている、直接照明タイプ・ソフトライトタイプ変換可能な写真撮影又はビデオ撮影用のＬＥＤ照明灯であって、前記発光窓の内側の正面のライトケースに若干の正面ＬＥＤ光源が設置されており、正面ＬＥＤ光源の照射方向はＬＥＤ照明灯の前方に向け、前記発光窓の内側の周囲側面のライトケースに若干の側面ＬＥＤ光源が設置され、前記発光窓の内側において、前記正面ＬＥＤ光源の前方のライトケースに前記発光窓を覆い被せる一枚の透明導光板が設置され、前記側面ＬＥＤ光源の照射方向はそれぞれ前記透明導光板の周囲側面に向け、前記透明導光板の、正面ＬＥＤ光源に向かい合う側の表面に、前記側面ＬＥＤ光源から入射する光線を反射させて発光窓の正面から射出するようにさせるための窪みが均一且つ密集するように分布されており、ライトケースには照明方式変換スイッチがさらに設置されていることを特徴とする、直接照明タイプ・ソフトライトタイプ変換可能な撮影用ＬＥＤ照明灯を提供する。
【００１０】
ここで、電源コネクタは乾電池ホルダーでもよく、外付けの電源コンセントでもよい。
【００１１】
ここで、接続ブラケットは撮影デバイスと接続するホット・シュー式接続ブラケットでもよく、床置き式三脚或いは卓上式三脚と接続する接続ブラケットでもよい。
【００１２】
ここで、ライトケース内には、さらに回路基板が装着されてもよく、正面ＬＥＤ光源と側面ＬＥＤ光源は、いずれも、電源コネクタ、電源スイッチ、照明方式の変換スイッチ、および回路基板との間に、対応する電気的な接続を行う。
【００１３】
ここで、発光窓はライトケース上の一つの脱着式の窓枠に設置してもよい。
【００１４】
ここで、ライトケースには、さらに照明明るさ調節器、照明色温度調節器を設置してもよい。
【００１５】
正面ＬＥＤ光源と側面ＬＥＤ光源は、いずれも、上記電源コネクタ、電源スイッチ、照明方式の変換スイッチ、照明明るさ調節器、照明色温度調節器、回路基板との間に、対応する電気的な接続を行う。
【００１６】
本発明は以下のような有益な効果がある。発光窓の内側の正面のライトケースに若干の正面ＬＥＤ光源が装着されており、正面ＬＥＤ光源の照射方向はＬＥＤ照明灯の前方に向け、発光窓の内側において、正面ＬＥＤ光源の前方のライトケースに装着された、発光窓を覆い被せる導光板は透明導光板であるので、ＬＥＤ照明灯は、正面ＬＥＤ光源により、透明導光板を透過して、直接照明タイプの照射を実現でき、比較的遠い距離の撮影に、理想的な照明を提供することができる。
【００１７】
発光窓の内側の周囲側面のライトケースに若干の側面ＬＥＤ光源が設置されており、発光窓の内側において、正面ＬＥＤ光源の前方のライトケースに、上記発光窓を覆い被せる一枚の透明導光板が設置され、側面ＬＥＤ光源の照射方向はそれぞれ透明導光板の周囲側面に向け、透明導光板の、正面ＬＥＤ光源に対向する裏向きの表面に光線反射窪みが均一に分布されているので、ＬＥＤ照明灯は、側面ＬＥＤ光源と透明導光板により、ソフトライトタイプの照射を実現でき、比較的近い距離の撮影に、理想的な照明を提供することが
できる。
【００１８】
さらに、ライトケースに照明方式の変換スイッチが設置されているので、上記した二種類の照明方式は、撮影現場で便利かつ速やかに変換できる。
【００１９】
本発明によれば、撮影者が外出して写真撮影又はビデオ撮影をする時、携帯すべきものを減らすことにより、使用上の便利さと照明方式の変換の速やかさを提供できるだけでなく、写真撮影又はビデオ撮影の照明分野において、一種類の新用品を提供し、このような用品の空白を補充することになる。
【００２０】
以下では、図面と実施例を参照して本発明をさらに詳しく説明する。
【図面の簡単な説明】
【００２１】
【図１】本発明の一実施形態に係る概略斜視図。
【図２】図１から窓枠を外した概略斜視図。
【図３】図２から透明導光板を外した概略斜視図。
【図４】図３を局部拡大した概略斜視図。
【図５】図１の背面概略図。
【図６】本発明の他の一実施形態に係る概略斜視図。
【発明を実施するための形態】
【００２２】
図１〜図５を参照すると、本発明の一実施形態に係る直接照明タイプ・ソフトライトタイプ変換可能な撮影用ＬＥＤ照明灯は、正面には発光窓５が設置される一つのライトケース１、ライトケース１内に装着される若干のＬＥＤ光源、ライトケース１に設置される電源コネクタ２と電源スイッチ３、ライトケース１の外に設置される接続ブラケット４を備えている。
【００２３】
発光窓５の内側の正面のライトケース１に若干の正面ＬＥＤ光源６などが配列・装着されており、正面ＬＥＤ光源６などの照射方向はすべて、それぞれＬＥＤ照明灯の前方に向け、発光窓５の内側の周囲側面のライトケース１に若干の側面ＬＥＤ光源７などが配列・装着されており、発光窓５の内側において、正面ＬＥＤ光源６などの前方のライトケース１に、発光窓５を覆い被せる一枚の透明導光板８が装着されており、側面ＬＥＤ光源７などの照射方向はそれぞれ透明導光板８の周囲側面９などに向け、透明導光板８の、正面ＬＥＤ光源６に対向する裏向きの表面に光線反射窪み１０などが均一に分布されており、ライトケース１に照明方式変換スイッチ１１が更に設置されている。
【００２４】
また、電源コネクタ２は一つの乾電池ホルダーであり、ライトケース１には一つの外付けの電源コンセント１２がさらに設置されている。接続ブラケット５は撮影デバイスと接続するホット・シュー式の接続ブラケットであり、その上にはＬＥＤ照明灯の照射角度調節用関節１３がさらに設置されている。ライトケース１内に回路基板（図示せず）がさらに設置されている。
【００２５】
正面ＬＥＤ光源６などと側面ＬＥＤ光源７などは、いずれも、電源コネクタ２、電源スイッチ３、照明方式変換スイッチ１１、回路基板との間に、対応する電気的な接続を行う。
【００２６】
発光窓６はライトケース１上の一つの着脱式の窓枠１４に設置されており、ライトケース１には照明明るさ調節器１５と照明色温度調節器１６がさらに設置され、正面ＬＥＤ光源６などと側面ＬＥＤ光源７などは、いずれも、電源コネクタ２、電源スイッチ３、照明方式変換スイッチ１１、明るさ調節器１５と照明色温度調節器１６、及び回路基板との間に、対応する電気的な接続を行う。
【００２７】
図６を参照すると、本発明に係る直接照明タイプ・ソフトライトタイプ変換可能な撮影用ＬＥＤ照明灯は、図１に示す直接照明タイプ・ソフトライトタイプ変換可能な撮影用ＬＥＤ照明灯と比べて、区別が、接続ブラケット１７が床置き式三脚又は卓上式三脚と接続する接続ブラケットであることにあるが、他の構造が図１に示す直接照明タイプ・ソフトライトタイプ変換可能な撮影用ＬＥＤ照明灯と同じである。
【符号の説明】
【００２８】
図面において、１：ライトケース、２：電源コネクタ、３：電源スイッチ、４：接続ブラケット、５：発光窓、６：正面ＬＥＤ光源、７：側面ＬＥＤ光源、８：透明導光板、９：導光板の側面、１０：光線反射窪み、１１：照明方式変換スイッチ、１２：外付けの電源コンセント、１３：ＬＥＤ照明灯の照射角度調節用関節、１４：窓枠、１５：照明明るさ調節器、１６：照明色温度調節器、１７：接続ブラケット。
【図１】
0006768636.tif 000002
【図２】
0006768636.tif 000003
【図３】
0006768636.tif 000004
【図４】
0006768636.tif 000005
【図５】
0006768636.tif 000006
【図６】
0006768636.tif 000007